(57)【要約】【課題】位置検出用の無線機を容易に取り付け可能であると共にその無線機の離脱を確実に防ぐことができ、さらに、無線機を他の部材との当接から確実に保護することが可能な合成樹脂製パレットを提供する。【解決手段】本発明のパレット１０では、デッキボード１１の下面に備えた桁部２０のうち桁部側壁２１にて全側方を囲まれると共に下面を底面桟２５にて覆われた部屋を第１及び第２の無線機収容部屋３１，３２とした。そして、各無線機収容部屋３１，３２の一部をデッキボード１１の上面に開放して無線機挿入口２７を設けると共に、無線機収容部屋３１，３２の他の一部を上面桟２６にて上方から覆い、無線機挿入口２７から無線機収容部屋３１，３２内に降下した無線機９１，９２を水平移動して上面桟２６の下方の格納部３１Ｋ，３２Ｋに収容可能とした。【選択図】図７
2008094428.tif 000002
【特許請求の範囲】
【請求項１】
デッキボードの下面に複数の桁部を設け、それら桁部同士の間にフォーク挿入空間を備えた合成樹脂製パレットにおいて、
前記桁部は、前記デッキボードから下方に延びた桁部側壁と、前記桁部側壁の下端部に配置された桁部底壁とを有し、前記桁部のうち前記桁部側壁にて全側方を囲まれると共に下面を前記桁部底壁にて覆われた部屋を、位置検出用の箱形の無線機を収容するための無線機収容部屋とし、
前記無線機収容部屋の一部を前記デッキボードの上面に開放して無線機挿入口を設けると共に、前記無線機収容部屋の他の一部を上面保護壁にて上方から覆い、
前記無線機挿入口から前記無線機収容部屋内に降下した前記無線機を水平移動して前記上面保護壁の下方の格納部に収容可能とし、
前記無線機収容部屋内には、前記格納部に収容された前記無線機に係合して前記水平移動を規制する係合固定部が備えられたことを特徴とする合成樹脂製パレット。
【請求項２】
前記係合固定部は、前記桁部底壁の一部を切り欠いてなる可撓片の先端部から上方に係止突部を突出してなりかつ前記無線機挿入口の真下に配置されたことを特徴とする請求項１に記載の合成樹脂製パレット。
【請求項３】
前記桁部底壁のうち前記上面保護壁を上方から投影した部分が、上下に貫通した貫通孔になっていることを特徴とする請求項１又は２に記載の合成樹脂製パレット。
【請求項４】
内部空間の大きさが相違する複数種類の前記無線機収容部屋を備えたことを特徴とする請求項１乃至３の何れかに記載の合成樹脂製パレット。
【発明の詳細な説明】
【技術分野】
【０００１】
本発明は、位置検出用の無線機を取り付け可能な合成樹脂製パレットに関する。
【背景技術】
【０００２】
従来、この種の合成樹脂製パレットとして、外側面に形成した凹部に箱形の無線機を嵌め込んで係止爪にて係止したものが知られている（例えば、特許文献１参照）。また、別の従来の合成樹脂製パレットとして、上面に開放した凹部に、所定形状の無線機を嵌め込んで係止爪にて係止したものも知られている（例えば、特許文献１，２参照）。
【特許文献１】特開平９−２５４９８３号公報（第２，３，６図）
【特許文献２】特開２００５−２８０７８４号公報（第１０，１３図）
【発明の開示】
【発明が解決しようとする課題】
【０００３】
しかしながら、上記した従来の合成樹脂製パレットの構成では、無線機の一部が合成樹脂製パレットの外側面又は上面に配置されて、フォークや他のパレットとの当接により破損する事態が生じ得た。また、積み荷作業等における衝撃によって無線機が合成樹脂製パレットから離脱する事態も生じ得た。これに対し、無線機を螺子止めする構成が考えられるが、その場合、取り付け作業に手間がかかるという問題が生じる。
【０００４】
本発明は、上記事情に鑑みてなされたもので、位置検出用の無線機を容易に取り付け可能であると共にその無線機の離脱を確実に防ぐことができ、さらに、無線機を他の部材との当接から確実に保護することが可能な合成樹脂製パレットの提供を目的とする。
【課題を解決するための手段】
【０００５】
上記目的を達成するためになされた請求項１の発明に係る合成樹脂製パレットは、デッキボードの下面に複数の桁部を設け、それら桁部同士の間にフォーク挿入空間を備えた合成樹脂製パレットにおいて、桁部は、デッキボードから下方に延びた桁部側壁と、桁部側壁の下端部に配置された桁部底壁とを有し、桁部のうち桁部側壁にて全側方を囲まれると共に下面を桁部底壁にて覆われた部屋を、位置検出用の箱形の無線機を収容するための無線機収容部屋とし、無線機収容部屋の一部をデッキボードの上面に開放して無線機挿入口を設けると共に、無線機収容部屋の他の一部を上面保護壁にて上方から覆い、無線機挿入口から無線機収容部屋内に降下した無線機を水平移動して上面保護壁の下方の格納部に収容可能とし、無線機収容部屋内には、格納部に収容された無線機に係合して水平移動を規制する係合固定部が備えられたところに特徴を有する。
【０００６】
請求項２の発明は、請求項１に記載の合成樹脂製パレットにおいて、係合固定部は、桁部底壁の一部を切り欠いてなる可撓片の先端部から上方に係止突部を突出してなりかつ無線機挿入口の真下に配置されたところに特徴を有する。
【０００７】
請求項３の発明は、請求項１又は２に記載の合成樹脂製パレットにおいて、桁部底壁のうち上面保護壁を上方から投影した部分が、上下に貫通した貫通孔になっているところに特徴を有する。
【０００８】
請求項４の発明は、請求項１乃至３の何れかに記載の合成樹脂製パレットにおいて、内部空間の大きさが相違する複数種類の無線機収容部屋を備えたところに特徴を有する。
【発明の効果】
【０００９】
［請求項１の発明］
請求項１の合成樹脂製パレットでは、位置検出用の箱形の無線機を取り付けるには、その無線機を、無線機挿入口から無線機収容部屋内に降下した後、水平移動して格納部に収めればよい。すると、係合固定部が無線機に係合して水平移動を規制し、無線機が格納部に保持される。このように本発明によれば、螺子締め操作等の手間がかかる作業を要せず、無線機を合成樹脂製パレットに容易に取り付けることができる。また、無線機は、格納部に保持されると、全側方を桁部側壁に覆われかつ上下を上面保護壁と桁部底壁とに覆われた状態になり、他の部材との当接から確実に保護される。しかも、無線機が合成樹脂製パレットから離脱するには、無線機収容部屋内の水平移動と無線機挿入口を通過する上下移動との２つの移動動作を要するので、仮に、係合固定部の係合が外れても、衝撃等の偶発的な原因によって無線機が合成樹脂製パレットから離脱することはない。即ち、本発明によれば、合成樹脂製パレットからの無線機の離脱を確実に防ぐことができる。
【００１０】
［請求項２の発明］
請求項２の合成樹脂製パレットでは、係合固定部を無線機挿入口の真下に配置したので、無線機挿入口から無線機収容部屋内に降下させた無線機の自重と慣性力とを利用して、係合固定部に備えた係止突部を押すことができる。これにより、容易に可撓片が撓む。そして、無線機を水平移動させて格納部に収容すると、可撓片が復元して係止突部と無線機とが係合する。これにより、無線機が無線機挿入口側に水平移動することが防がれる。
【００１１】
［請求項３の発明］
請求項３の合成樹脂製パレットでは、桁部底壁のうち上面保護壁を上方から投影した部分が、上下に貫通した貫通孔になっているので、合成樹脂製パレットを成形するための樹脂成形金型がその合成樹脂製パレットの上下方向で型開きする場合に、アンダーカット形状にならず、金型制作費を抑えることができる。
【００１２】
［請求項４の発明］
請求項４の合成樹脂製パレットによれば、内部空間の大きさが相違する複数の無線機収容部屋を備えたので、無線機の大きさに応じた最適な大きさの無線機収容部屋を選ぶことができる。
【発明を実施するための最良の形態】
【００１３】
以下、本発明の一実施形態を図１〜図８に基づいて説明する。図１に示した本実施形態の合成樹脂製パレット１０（以下、単に「パレット１０」という）は、平面略正方形のデッキボード１１の下面に複数の桁部２０を備え、それら桁部２０同士の間がフォーク挿入空間１４になっている。
【００１４】
デッキボード１１には、その外縁部と縦横の中心線とに沿った部位に、比較的強度が大きな上面強化梁１２が備えられ、デッキボード１１の全体で上面強化梁１２が「田」の字形状になっている。そして、上面強化梁１２に囲まれた四角形の４つの領域がそれぞれ荷受盤１３にて塞がれている。また、それら上面強化梁１２及び荷受盤１３は共にメッシュ構造をなし、そのメッシュ構造の網目は上下に貫通している。
【００１５】
図２に示すように桁部２０は、デッキボード１１のうち上面強化梁１２同士の交差位置に配置されている。即ち、桁部２０は、デッキボード１１の四隅と、デッキボード１１の各外縁部における各中央部と、デッキボード１１の平面形状における図心との計９箇所に配置されている。また、図３に示すように、縦横の何れかの方向で隣合った桁部２０，２０同士の間には、下面強化梁１５が差し渡され、その下面強化梁１５も全体が「田」の字形状になっている。なお、下面強化梁１５に囲まれた四角形の４つの領域には、荷受盤１３に相当する構造体はなく、単なる空間になっている。
【００１６】
図２に示すように各桁部２０は、デッキボード１１から下方に延びた桁部側壁２１と、その桁部側壁２１の下端部に配置された底面桟２５（本発明に係る「桁部底壁」に相当する）とを備えている。また、桁部側壁２１は、図３に示すように、略角筒状の外殻筒部２２と、その外殻筒部２２内に配置された内側区画部２３とからなり、外殻筒部２２の下面開口の一部が、底面桟２５によって覆われている。さらに、外殻筒部２２の内部空間は、内側区画部２３によって複数の小部屋に区分されている。
【００１７】
詳細には、デッキボード１１の外縁部の各中央部に配置された各桁部２０においては、内側区画部２３が、外殻筒部２２の内部空間を、デッキボード１１の図心寄りの第１領域２１Ｕと図心から離れた第２領域２１Ｓとに２分し、さらに、第１領域２１Ｕを４等分しかつ第２領域２１Ｓを２等分している。そして、第１領域２１Ｕにおける４つの小部屋が、デッキボード１１の外縁部に沿って並べられ、それら４つの小部屋のうち中央の２つの小部屋が本発明に係る無線機収容部屋３１（以下、「第１の無線機収容部屋３１」という）になっている。
【００１８】
第１の無線機収容部屋３１は、平断面形状が長方形をなしている。また、図５に示すように、第１の無線機収容部屋３１の下面は、底面桟２５によって閉塞されている。さらに、第１の無線機収容部屋３１の上面は、一部が上面桟２６（本発明に係る「上面保護壁」に相当する）によって覆われ、それ以外の部分がデッキボード１１の上面に開放している。そして、第１の無線機収容部屋３１の上面のうち上面桟２６よりデッキボード１１の図心から離れた側の開放部分が、本発明に係る無線機挿入口２７になっている。
【００１９】
上面桟２６は、第１の無線機収容部屋３１の平面形状である長方形のうちデッキボード１１の図心寄り位置を横切るように配置されている。また、上面桟２６は、図６に示すようにデッキボード１１の上面と面一になった上面帯板２６Ａの両側縁部から下面リブ２６Ｂ，２６Ｂを垂下した構造になっている。そして、第１の無線機収容部屋３１のうち上面桟２６の下側部分が、本発明に係る格納部３１Ｋになっている。
【００２０】
底面桟２５は、デッキボード１１の上面と平行な底面板２５Ｂの下面に複数の下面リブ２５Ｃを備えてなり、全体がメッシュ構造になっている。また、底面桟２５のうち上方から上面桟２６を投影した部分には、上下に貫通した貫通孔２５Ａが形成されている。これにより、パレット１０を成形するための樹脂成形金型がそのパレット１０の上下方向で型開きする場合に、アンダーカット形状にならず、金型制作費を抑えることができる。また、底面桟２５のうち無線機挿入口２７の真下には、ストッパ４０（本発明に係る「係合固定部」に相当する）が備えられている。ストッパ４０は、片持ち梁状の可撓片４１の先端部から上方に係止突部４２を突出させた構造になっている。可撓片４１は、底面桟２５にＵ字形（図示せず）のスリットを形成して底面桟２５の一部を片持ち梁状に切り離してなり、先端部が格納部３１Ｋ側を向いている。そして、係止突部４２には、格納部３１Ｋ側に係止面４２Ａを備える一方、その反対側に傾斜面４２Ｂを備えている。係止面４２Ａは、底面桟２５の上面から鉛直に起立し、傾斜面４２Ｂは、格納部３１Ｋ側に向かって徐々に上方に迫り上がるように傾斜している。また、無線機挿入口２７と上面桟２６との並び方向における無線機挿入口２７の開口幅Ｌ１と、係止面４２Ａから格納部３１Ｋの奥側内側面までの距離Ｌ２とは、略同一寸法になっている。
【００２１】
デッキボード１１の外縁部の各中央部に配置された各桁部２０の構造説明は以上である。次に、デッキボード１１の図心に配置された桁部２０の構造説明を行う。図３に示すように、この桁部２０では、内側区画部２３が、外殻筒部２２の内部空間の４隅に配置され、それら内側区画部２３の平断面形状が「Ｌ」字形状をなしている。そして、内側区画部２３のうち「Ｌ」の両先端部に相当する部分が、外殻筒部２２のうち各角度を挟んで直交した１対の内側面に連絡され、これにより、外殻筒部２２の内部空間が、各内側区画部２３と外殻筒部２２の１対の内側面とに囲まれた４つの小部屋と、外殻筒部２２の内部空間を縦横に横切る「十」字状の小部屋とに区画されている。そして、この十字状の小部屋が本発明に係る無線機収容部屋３２（以下、「第２の無線機収容部屋３２」という）になっている。以下、第２の無線機収容部屋３２のうち第１の無線機収容部屋３１と同一の構成を有した部位には同一符号を付して重複した説明を省略し、第１の無線機収容部屋３１と異なる構成に関してのみ説明する。
【００２２】
図１及び図４に示すように、第２の無線機収容部屋３２は、その平面形状である「十」字のうち４方に突出した各突辺の中間部分を横切るように配置された４つの上面桟２６によって上方を覆われ、それ以外の部分が上方に開放している。そして、図８に示すように、４つの上面桟２６のうち１つの上面桟２６の下方が、本発明に係る格納部３２Ｋになっておりかつ、平面形状における中央部の上面開放口が無線機挿入口２７になっている。また、第２の無線機収容部屋３２のうち格納部３２Ｋの横幅は、第１の無線機収容部屋３１の格納部３１Ｋの横幅より大きくなっている。さらに、上面桟２６の下面と底面桟２５の上面との間の高低差も、第１の無線機収容部屋３１より第２の無線機収容部屋３２の方が大きくなっている。これにより、第２の無線機収容部屋３２は、第１の無線機収容部屋３１に収容可能な無線機９１より大きな無線機９２を収容することができる。
【００２３】
なお、本実施形態では、デッキボード１１の四隅に配置された桁部２０内には、本発明に係る「無線機収容部屋」は備えられていないが、これら四隅の桁部２０内に「無線機収容部屋」を設けてもよい。
【００２４】
本実施形態の構成に関する説明は以上である。本実施形態の作用・効果について説明する。本実施形態のパレット１０では、搬送経路、滞留状態、又は、所在を調査・確認・管理等するために、位置検出用の無線機が取り付けることができる。その位置検出用の無線機として、例えば位置検出信号を出力する無線回路及び電池を直方体状のケース内に収容してなる箱形の無線機が市販されている。また、電池の容量や出力の大小等に応じて、比較的大きな無線機９２と、比較的小さな無線機９１とがある。そこで、これら無線機９１，９２のうち１つを選び、第１又は第２の無線機収容部屋３１，３２の何れか一方に取り付ければよい。
【００２５】
具体的には、比較的小さな無線機９１を選んだ場合には、複数の第１の無線機収容部屋３１の中から任意の第１の無線機収容部屋３１を選ぶ。そして、図６に示すように無線機９１を無線機挿入口２７から第１の無線機収容部屋３１の内部に降下させる。すると、図７（Ａ）に示すように、無線機９１が第１の無線機収容部屋３１の底部に到達したところで、無線機９１の自重と慣性力とによりストッパ４０の係止突部４２が押圧されて、ストッパ４０の可撓片４１が下方に撓む。また、可撓片４１が十分に撓まなかった場合には、無線機挿入口２７から指又は工具を挿入して無線機９１を下方に押せばよい。そして、無線機９１の上面が上面桟２６より下方に位置させた状態にして、無線機９１を上面桟２６の下方の格納部３１Ｋへと水平移動する。
【００２６】
そして、無線機９１が格納部３１Ｋに納まると、図７（Ｂ）に示すように、無線機９１が係止突部４２の上方から外れて可撓片４１が復元し、係止突部４２の係止面４２Ａが無線機９１の一側面と対向した状態になって、ストッパ４０と無線機９１とが係合する。これにより、無線機９１が格納部３１Ｋに保持される。
【００２７】
一方、比較的大きな無線機９２を選んだ場合には、その無線機９２を第２の無線機収容部屋３２に取り付ければよい。この場合も、無線機９２を無線機挿入口２７から第２の無線機収容部屋３２内に降下し、格納部３２Ｋ側に水平移動すればよい。すると、無線機９２が格納部３２Ｋに収容されたときに、ストッパ４０と無線機９２とが係合し、無線機９２が格納部３２Ｋに保持される。
【００２８】
このように本実施形態のパレット１０によれば、螺子締め操作等の手間がかかる作業を要せず、無線機９１，９２をパレット１０に容易に取り付けることができる。また、無線機９１，９２は、格納部３１Ｋ，３２Ｋに保持されると、全側方を桁部側壁２１によって覆われかつ上下を上面桟２６と底面桟２５とに覆われた状態になり、他の部材との当接から確実に保護される。しかも、無線機９１，９２がパレット１０から離脱するには、水平移動と上下移動との２つの移動動作を要するので、仮に、ストッパ４０の係合が外れても、衝撃等の偶発的な原因によって無線機９１，９２がパレット１０から離脱することはない。即ち、本実施形態のパレット１０によれば、無線機９１，９２の離脱を確実に防ぐことができる。さらに、このパレット１０には、内部空間の大きさが相違する複数の無線機収容部屋３１，３２が備えられているので、無線機９１，９２の大きさに応じた最適な大きさの第１又は第２の無線機収容部屋３１，３２を選ぶことができ、無線機９１，９２が第１又は第２の無線機収容部屋３１，３２内で安定する。
【００２９】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００３０】
（１）前記実施形態のパレット１０は、全体としてメッシュ構造になっていたが、メッシュ構造ではない板構造の合成樹脂製パレットに本発明を適用してもよい。
【００３１】
（２）前記実施形態のパレット１０における可撓片４１は、無線機挿入口２７から格納部３１Ｋに向かって延びた片持ち梁状になっていたが、図９及び図１０に示すように、格納部３１Ｋ，３２Ｋから無線機挿入口２７に向かって延びた片持ち梁状にしてもよいし、また、格納部３１Ｋ，３２Ｋから無線機挿入口２７に向かう方向と直交する方向に延びた片持ち梁状にしてもよい。
【００３２】
（３）図９に示すように、無線機９１が格納部３１Ｋに収容された状態で、その無線機９１の下面における一端部のみが底面桟２５上に載置され、その底面桟２５と上面桟２６と桁部側壁２１との協働により格納部３１Ｋ内で無線機９１が移動しないようにしてもよい。
【００３３】
（４）前記実施形態では、本発明に係る「係合固定部」としてのストッパ４０が、底面桟２５に一体形成されていたが、桁部側壁２１に係合固定部を一体形成してもよい。
【００３４】
（５）前記実施形態では、本発明に係る「係合固定部」としてのストッパ４０は、無線機９１を格納部３１Ｋから無線機挿入口２７側に向かう第１の水平方向の移動を規制するだけであり、その第１の水平方向と直交する第２の水平方向への移動は桁部側壁２１によって規制していたが、本発明に係る「係合固定部」と無線機９１との係合のみにより、無線機９１を第１と第２の両水平方向で２次元的に固定する構成にしてもよい。具体的には、例えば、図１１に示すように、ストッパ４０に備えた係止突部４２Ｔを角柱形状とし、無線機９１に設けた角形のリング部９１Ａ内に係止突部４２Ｔを嵌合する構成や、図１２に示すように、無線機９１の下面に断面角形の凹部９１Ｂを形成しておき、その凹部９１Ｂに係止突部４２Ｔを嵌合する構成にしてもよい。
【００３５】
（６）また、図１３に示すように、１対の無線機収容部屋３１Ｖ，３１Ｗの内部空間における幅を同一にする一方、高さを異ならせた構成にしてもよい。これにより、幅が同じで高さが異なる無線機９１Ｖ，９１Ｗを安定して収容することができる。
【図面の簡単な説明】
【００３６】
【図１】本発明の一実施形態に係る合成樹脂製パレットの上方からの斜視図
【図２】合成樹脂製パレットを下方からの斜視図
【図３】合成樹脂製パレットの下半分の一部破断斜視図
【図４】合成樹脂製パレットの平面図
【図５】図４のＡ−Ａ切断面で切断した合成樹脂製パレットの一部破断斜視図
【図６】第１の無線機収容部屋の一部破断斜視図
【図７】第１の無線機収容部屋の一部破断斜視図
【図８】第２の無線機収容部屋の一部破断斜視図
【図９】変形例１に係る無線機収容部屋の一部破断斜視図
【図１０】変形例２に係る無線機収容部屋の一部破断斜視図
【図１１】変形例３に係る無線機収容部屋の一部破断斜視図
【図１２】変形例４に係る無線機収容部屋の一部破断斜視図
【図１３】変形例５に係る無線機収容部屋の一部破断側面図
【符号の説明】
【００３７】
１０    合成樹脂製パレット
１１    デッキボード
２０    桁部
２１    桁部側壁
２５    底面桟（桁部底壁）
２５Ａ    貫通孔
２６    上面桟（上面保護壁）
２７    無線機挿入口
３１，３１Ｖ，３１Ｗ，３２  無線機収容部屋
３１Ｋ，３２Ｋ    格納部
４０    ストッパ（係合固定部）
４１    可撓片
４２，４２Ｔ    係止突部
９１，９２，９１Ｖ，９１Ｗ    無線機
【図１】
2008094428.tif 000003
【図２】
2008094428.tif 000004
【図３】
2008094428.tif 000005
【図４】
2008094428.tif 000006
【図５】
2008094428.tif 000007
【図６】
2008094428.tif 000008
【図７】
2008094428.tif 000009
【図８】
2008094428.tif 000010
【図９】
2008094428.tif 000011
【図１０】
2008094428.tif 000012
【図１１】
2008094428.tif 000013
【図１２】
2008094428.tif 000014
【図１３】
2008094428.tif 000015